(57)【要約】    【課題】      アクセスポイント装置のＢＳＳＩＤとＶＬＡＮの対応の変更を容易に実行することができ、かつ、接続先を変更する時に接続先を変更の数が多い場合にも同期的に設定変更を行うこと。    【解決手段】  本発明のアクセスポイント制御システム１００は、複数のアクセスポイント装置１１０−１、１１０−２と、複数のアクセスポイント装置１１０−１、１１０−２にメッセ−ジを送信して複数のアクセスポイント装置１１０−１、１１０−２を制御するアクセスポイント制御装置１２０と、を具備する。アクセスポイント制御装置１２０は、アクセスポイント装置１１０−１、１１０−２からのフレ−ムをＢＳＳＩＤに基づいて複数のＶＬＡＮネットワ−ク１３０−１、１３０−２に振り分けるフレーム振り分け部１２３と、振り分け部１２３による振り分け先のＶＬＡＮネットワ−ク１３０−１、１３０−２を変更する振り分け先変更手段と、を具備する。  【選択図】      図１
2006033431.tif 000002
【特許請求の範囲】
【請求項１】
複数のアクセスポイント装置と、前記複数のアクセスポイント装置にメッセージを送信して前記複数のアクセスポイント装置を制御するアクセスポイント制御装置と、を具備するアクセスポイント制御システムにおいて、
前記アクセスポイント制御装置は、
前記アクセスポイント装置からのフレームをＢＳＳＩＤに基づいて複数のＶＬＡＮネットワークに振り分ける振り分け手段と、
前記振り分け手段による振り分け先の前記ＶＬＡＮネットワークを変更する振り分け先変更手段と、
を具備することを特徴とするアクセスポイント制御システム。
【請求項２】
前記振り分け手段は、
前記複数のＢＳＳＩＤと対応する複数のＶＬＡＮタグとの情報を保持する対応テーブルと、前記対応テーブルに基づいて前記フレームを複数のＶＬＡＮネットワークに振り分ける手段と、を具備し、
前記振り分け先変更手段は、
前記対応テーブルの前記複数のＶＬＡＮタグのいずれかを変更することにより振り分け先の前記ＶＬＡＮネットワークを変更する手段を具備することを特徴とする請求項１に記載のアクセスポイント制御システム。
【請求項３】
複数のアクセスポイント装置と、前記複数のアクセスポイント装置にメッセージを送信して前記複数のアクセスポイント装置を制御するアクセスポイント制御装置と、を具備するアクセスポイント制御システムにおけるアクセスポイント制御方法であって、
前記アクセスポイント制御装置が前記アクセスポイント装置からのフレームをＢＳＳＩＤに基づいて複数のＶＬＡＮネットワークに振り分ける振り分けステップと、
前記振り分けステップにおける振り分け先の前記ＶＬＡＮネットワークを変更する振り分け先変更ステップと、
を具備することを特徴とするアクセスポイント制御方法。
【請求項４】
複数のアクセスポイント装置と、前記複数のアクセスポイント装置にメッセージを送信して前記複数のアクセスポイント装置を制御するアクセスポイント制御装置と、を具備するアクセスポイント制御システムにおけるアクセスポイント制御装置であって、
前記アクセスポイント装置からのフレームをＢＳＳＩＤに基づいて複数のＶＬＡＮネットワークに振り分ける振り分け手段と、
前記振り分け手段による振り分け先の前記ＶＬＡＮネットワークを変更する振り分け先変更手段と、
を具備することを特徴とするアクセスポイント制御装置。
【発明の詳細な説明】
【技術分野】
【０００１】
本発明は、複数のアクセスポイント装置と、前記複数のアクセスポイント装置にメッセ−ジを送信して前記複数のアクセスポイント装置を制御するアクセスポイント制御装置と、を具備するアクセスポイント制御システム及びアクセスポイント制御方法に関する。
【背景技術】
【０００２】
近年、無線ＬＡＮ（IEEE802.11規格）の普及が進み、公衆ネットワ−ク及び企業ネットワ−クにおいて大規模な無線ＬＡＮネットワ−クが構築されるようになった。それに従って、少ない無線周波数をうまく利用して、仮想的なアクセスポイント装置（ＡＰ）を多重するという方法が非特許文献１において提案された。
【０００３】
ここでは、１つのアクセスポイント装置上に複数のＢＳＳＩＤを割り当てられるようにして、通信端末装置からはあたかも複数の仮想的なアクセスポイント装置が見えるようにする。これにより、同一無線チャネルを使用しながら、複数のネットワ−クが多重して使用できる。上位側の識別にはＶＬＡＮが使用できる。
【０００４】
前記非特許文献１記載の技術においては、１つのアクセスポイント装置に対して、複数のＢＳＳＩＤが設定できるため、そのＢＳＳＩＤごとにダイナミックなＶＬＡＮが張れる。複数のアクセスポイント装置を組み合わせた従来のアクセスポイント制御システムが図１６に示されている。
【０００５】
図１６に示すように、従来のアクセスポイント制御システム１０は、複数のアクセスポイント装置２０−１、２０−２、アクセスポイント制御装置３０及びＶＬＡＮネットワーク４０−１、４０−２を具備している。アクセスポイント装置２０−１は、通信端末装置５０−１、５０−２と通信可能である。また、アクセスポイント装置２０−２は、通信端末装置５０−３、５０−４と通信可能である。
【０００６】
アクセスポイント装置２０−１は、ＡＡＡとＢＢＢという２つのＥＳＳＩＤを保持しており、それに対応するＢＳＳＩＤを保持する。ここでＥＳＳＩＤとして、ＡＡＡに対応するＢＳＳＩＤがＡＰ１−１とされ、ＢＢＢに対応するＢＳＳＩＤがＡＰ２−２とされる。実際には、ＢＳＳＩＤはＭＡＣアドレスと同じように６ｂｙｔｅの識別子を保持する。
【０００７】
同様に、アクセスポイント装置２０−２も、ＡＡＡとＢＢＢという２つのＥＳＳＩＤを保持しており、それに対応するＢＳＳＩＤを保持する。ここでＥＳＳＩＤとして、ＡＡＡに対応するＢＳＳＩＤがＡＰ１−１とされ、ＢＢＢに対応するＢＳＳＩＤがＡＰ２−２とされる。実際には、ＢＳＳＩＤはＭＡＣアドレスと同じように６ｂｙｔｅの識別子を保持する。
【０００８】
ここで、ＥＳＳＩＤのＡＡＡはＶＬＡＮネットワーク４０−１と接続され、かつ、ＥＳＳＩＤのＢＢＢはＶＬＡＮネットワーク４０−２と接続される。ＶＬＡＮネットワーク４０−１にはＶＬＡＮ＃1（ＶＬＡＮタグ＃１）が割り当てられ、かつ、ＶＬＡＮネットワーク４０−２にはＶＬＡＮ＃２（ＶＬＡＮタグ＃２）が割り当てられる。
【０００９】
そのため、アクセスポイント装置２０−１は、ＢＳＳＩＤがＡＰ１−１である場合には上位側にフレ−ムを流す時にＶＬＡＮ＃1のＶＬＡＮネットワーク４０−１に流す。ＶＬＡＮスイッチとアクセスポイント装置の間は、常にＶＬＡＮタグ付きのフレ−ムで通信される。（図１７のプロトコルスタック参照）。このようにして、アクセスポイント制御システム１０は、通信端末装置５０−１〜５０−４と接続先であるＶＬＡＮネットワーク４０−１、４０−２との接続を制御している。  
【非特許文献１】IEEE ドキュメントIEEE802.11−03/154r1“Virtual Access Points”
【発明の開示】
【発明が解決しようとする課題】
【００１０】
しかしながら、従来のアクセスポイント制御システムにおいては、全てのアクセスポイント装置にＢＳＳＩＤとＶＬＡＮの対応を設定する必要があるため、１つのネットワ−クに所属するＶＬＡＮが変更される場合には、前記１つのネットワ−クと接続しているアクセスポイント装置のＢＳＳＩＤとＶＬＡＮの対応を全て変更する必要があるという問題がある。
【００１１】
また、従来のアクセスポイント制御システムにおいては、接続先を変更する時に接続先を変更の数が多い場合にはＶＡＮスイッチ装置とアクセスポイント装置のそれぞれの設定変更を行うことが必要であるため、同期的に設定変更を行うことが困難であるという問題がある。
【００１２】
例えば、図１６に示す従来のアクセスポイント制御システム１０においては、図１８に示すように、ＥＳＳＩＤのＡＡＡの接続先をＶＬＡＮネットワーク４０−１（ＶＬＡＮ＃１）からＶＬＡＮネットワーク４０−３（ＶＬＡＮ＃９）に変更する時に、ＶＡＮスイッチ装置とアクセスポイント装置のそれぞれの設定変更を行う必要がある。このため、従来のアクセスポイント制御システムにおいては、接続先を変更する時に接続先の変更の数が多い場合には同期的に設定変更を行うことが困難であるという問題がある。
【００１３】
本発明は、かかる点に鑑みてなされたものであり、アクセスポイント装置のＢＳＳＩＤとＶＬＡＮの対応の変更を容易に実行することができ、かつ、接続先を変更する時に接続先の変更の数が多い場合にも同期的に設定変更を行うことができるアクセスポイント制御システム及びアクセスポイント制御方法を提供することを目的とする。
【課題を解決するための手段】
【００１４】
本発明の第１の特徴は、複数のアクセスポイント装置と、前記複数のアクセスポイント装置にメッセ−ジを送信して前記複数のアクセスポイント装置を制御するアクセスポイント制御装置と、を具備するアクセスポイント制御システムにおいて、前記アクセスポイント制御装置は、前記アクセスポイント装置からのフレ−ムをＢＳＳＩＤに基づいて複数のＶＬＡＮネットワ−クに振り分ける振り分け手段と、前記振り分け手段による振り分け先の前記ＶＬＡＮネットワ−クを変更する振り分け先変更手段と、を具備する構成を採る。
【００１５】
本発明の第２の特徴は、複数のアクセスポイント装置と、前記複数のアクセスポイント装置にメッセ−ジを送信して前記複数のアクセスポイント装置を制御するアクセスポイント制御装置と、を具備するアクセスポイント制御システムにおけるアクセスポイント制御方法であって、前記アクセスポイント制御装置が前記アクセスポイント装置からのフレ−ムをＢＳＳＩＤに基づいて複数のＶＬＡＮネットワ−クに振り分ける振り分けステップと、前記振り分けステップにおける振り分け先の前記ＶＬＡＮネットワ−クを変更する振り分け先変更ステップと、を具備するようにした。
【００１６】
本発明の第３の特徴は、複数のアクセスポイント装置と、前記複数のアクセスポイント装置にメッセージを送信して前記複数のアクセスポイント装置を制御するアクセスポイント制御装置と、を具備するアクセスポイント制御システムにおけるアクセスポイント制御装置であって、前記アクセスポイント装置からのフレームをＢＳＳＩＤに基づいて複数のＶＬＡＮネットワークに振り分ける振り分け手段と、前記振り分け手段による振り分け先の前記ＶＬＡＮネットワークを変更する振り分け先変更手段と、を具備する構成を採る。
【発明の効果】
【００１７】
本発明によれば、アクセスポイント制御装置が、アクセスポイント装置からのフレ−ムをＢＳＳＩＤに基づいて複数のＶＬＡＮネットワ−クに振り分ける振り分け手段と、前記振り分け手段による振り分け先の前記ＶＬＡＮネットワ−クを変更する振り分け先変更手段と、を具備するため、アクセスポイント装置のＢＳＳＩＤとＶＬＡＮの対応の変更を容易に実行することができ、かつ、接続先を変更する時に接続先を変更の数が多い場合にも同期的に設定変更を行うことができる。
【発明を実施するための最良の形態】
【００１８】
次に、本発明の実施の形態について、図面を参照して詳細に説明する。
【００１９】
（一実施の形態）
図１は、本発明の一実施の形態に係るアクセスポイント制御システムの構成を示す図である。
【００２０】
図１に示すように、本発明の一実施の形態に係るアクセスポイント制御システム１００は、複数のアクセスポイント装置１１０−１、１１０−２、アクセスポイント制御装置１２０及びＶＬＡＮネットワーク１３０−１、１３０−２を具備している。
【００２１】
アクセスポイント制御装置１２０は、複数のアクセスポイント装置１１０−１、１１０−２にメッセ−ジを送信して前記複数のアクセスポイント装置を制御する。アクセスポイント装置１１０−１は、通信端末装置１４０−１、１４０−２と通信可能である。また、アクセスポイント装置１１０−２は、通信端末装置１４０−３、１４０−４と通信可能である。ＶＬＡＮネットワーク１３０−１、１３０−２は、例えば、ＩＳＰネットワ−クで構成される。
【００２２】
アクセスポイント装置１１０−１は、ＡＡＡとＢＢＢという２つのＥＳＳＩＤを保持しており、それに対応するＢＳＳＩＤを保持する。ここでＥＳＳＩＤとして、ＡＡＡに対応するＢＳＳＩＤがＡＰ１−１とされ、ＢＢＢに対応するＢＳＳＩＤがＡＰ２−２とされる。実際には、ＢＳＳＩＤはＭＡＣアドレスと同じように６ｂｙｔｅの識別子を保持する。
【００２３】
同様に、アクセスポイント装置１１０−２も、ＡＡＡとＢＢＢという２つのＥＳＳＩＤを保持しており、それに対応するＢＳＳＩＤを保持する。ここでＥＳＳＩＤとして、ＡＡＡに対応するＢＳＳＩＤがＡＰ１−１とされ、ＢＢＢに対応するＢＳＳＩＤがＡＰ２−２とされる。実際には、ＢＳＳＩＤはＭＡＣアドレスと同じように６ｂｙｔｅの識別子を保持する。
【００２４】
ここで、ＥＳＳＩＤのＡＡＡはＶＬＡＮネットワーク１３０−１と接続され、かつ、ＥＳＳＩＤのＢＢＢはＶＬＡＮネットワーク１３０−２と接続される。ＶＬＡＮネットワーク１３０−１にはＶＬＡＮ＃１（ＶＬＡＮタグ＃１）が割り当てられ、かつ、ＶＬＡＮネットワーク１３０−２にはＶＬＡＮ＃２（ＶＬＡＮタグ＃２）が割り当てられる。
【００２５】
そのため、アクセスポイント装置１１０−１は、ＢＳＳＩＤがＡＰ１−１である場合には上位側にフレ−ムを流す時にＶＬＡＮ＃１のＶＬＡＮネットワーク１３０−１に流す。ＶＬＡＮスイッチとアクセスポイント装置の間は、常にＶＬＡＮタグ付きのフレ−ムで通信される。（図２のプロトコルスタック参照）。このようにして、アクセスポイント制御システム１００は、通信端末装置１４０−１〜１４０−４と接続先であるＶＬＡＮネットワーク１３０−１、１３０−２との接続を制御している。
【００２６】
図２は、本発明の一実施の形態に係るアクセスポイント制御システム１００において用いられるプロトコルスタックの例を示す図である。本発明の一実施の形態に係るアクセスポイント制御システムにおいて用いられるプロトコルでは、８０２．１１フレ−ムをアクセスポイント装置１１０−１とアクセスポイント制御装置１２０の間ではＥｔｈｅｒヘッダでカプセル化し、アクセスポイント制御装置１２０が８０２．１１フレ−ムとＥｔｈｅｒフレ−ムのブリッジ処理を行う。
【００２７】
図３は、本発明の一実施の形態に係るアクセスポイント制御システム１００のアクセスポイント制御装置１２０の構成を詳細に示すブロック図である。
【００２８】
図３に示すように、アクセスポイント制御装置１２０は、網側送受信部１２１、フレ−ム振り分けデータベース１２２、フレ−ム振り分け部１２３及びＡＰ側送受信部１２４を具備している。
【００２９】
網側送受信部１２１は、ＶＬＡＮネットワーク１３０−１、１３０−２とフレ−ムの送受信をし、かつ、フレーム振り分け部１２３とフレ−ムの送受信をする。フレ−ム振り分けデータベース１２２は、フレ−ム振り分けを行うためのデータベースである。フレ−ム振り分けデータベース１２２は、ＥＳＳＩＤ−ＶＬＡＮ対応テ−ブル、ＥＳＳＩＤ−ＡＰ対応テ−ブル、ＢＳＳＩＤ−ＶＬＡＮ対応テ−ブル及び端末−ＢＳＳＩＤ対応テ−ブル等の対応テ−ブルを具備している。
【００３０】
フレ−ム振り分け部１２３は、網側送受信部１２１及びＡＰ側送受信部１２４からのフレ−ムをフレ−ム振り分けデータベース１２２を参照して振り分け、かつ、フレ−ムの転送を行う。ＡＰ側送受信部１２４は、フレ−ム振り分け部１２３とフレ−ムの送受信をし、かつ、アクセスポイント装置１１０−１、１１０−２とフレ−ムの送受信をする。
【００３１】
図４は、本発明の一実施の形態に係るアクセスポイント制御システム１００のアクセスポイント制御装置１２０におけるフレーム振り分けデータベース１２２のＥＳＳＩＤ−ＶＬＡＮ対応テ−ブルを示す図である。
【００３２】
このＥＳＳＩＤ−ＶＬＡＮ対応テ−ブル１２２１は、ＥＳＳＩＤとＶＬＡＮ（ＶＬＡＮタグ）との対応付けの情報を保持している。この情報においては、ＥＳＳＩＤが１つのＶＬＡＮにマッピングされる。この情報は、管理者により設定される。
【００３３】
図５は、本発明の一実施の形態に係るアクセスポイント制御システム１００のアクセスポイント制御装置１２０におけるフレーム振り分けデータベース１２２のＥＳＳＩＤ−ＡＰ対応テ−ブルを示す図である。
【００３４】
このＥＳＳＩＤ−ＡＰ対応テ−ブル１２２２は、ＥＳＳＩＤとそのＥＳＳＩＤがカバ−されるアクセスポイント装置（ＡＰ）とを対応付けた情報を保持している。この情報においては、ＥＳＳＩＤが複数のアクセスポイント装置（ＡＰ）にマッピングされる。この情報は、管理者により設定される。
【００３５】
図６は、本発明の一実施の形態に係るアクセスポイント制御システム１００のアクセスポイント制御装置１２０におけるフレ−ム振り分けデータベース１２２のＢＳＳＩＤ−ＶＬＡＮ対応テ−ブルを示す図である。
【００３６】
このＢＳＳＩＤ−ＶＬＡＮ対応テ−ブル１２２３は、アクセスポイント装置（ＡＰ）に割り当てたＢＳＳＩＤと網側のＶＬＡＮＩＤを対応付けた情報を保持している。情報は、ＥＳＳＩＤ−ＶＬＡＮ対応テ−ブル１２２１とＥＳＳＩＤ−ＡＰ対応テ−ブル１２２２の情報に基づいて作成される。
【００３７】
図７は、本発明の一実施の形態に係るアクセスポイント制御システム１００のアクセスポイント制御装置１２０におけるフレーム振り分けデータベース１２２の端末−ＢＳＳＩＤ対応テ−ブルを示す図である。
【００３８】
この端末−ＢＳＳＩＤ対応テ−ブル１２２４は、通信端末装置とこの通信端末装置が接続しているＢＳＳＩＤとを対応付けた情報を保持している。この情報においては、通信端末装置が１つのＢＳＳＩＤにマッピングされる。この情報は、通信端末装置の接続時に取得（学習）される。
【００３９】
次に、本発明の一実施の形態に係るアクセスポイント制御システム１００の動作について、より具体的に説明する。
【００４０】
（１）フレ−ムの振り分けの動作前の準備
図８は、本発明の一実施の形態に係るアクセスポイント制御システム１００によるＢＳＳＩＤ−ＶＬＡＮ対応テ−ブルの作成を説明するためのフロ−図である。
【００４１】
図８に示すように、ステップＳＴ８０１において、フレ−ム振り分け部１２３は、フレ−ムのＥＳＳＩＤをキ−にＥＳＳＩＤ−ＶＬＡＮテ−ブル１２２１の情報に基づいてＶＬＡＮＩＤを導出する。
【００４２】
次に、フレ−ム振り分け部１２３は、ＥＳＳＩＤ−ＡＰ対応テ−ブル１２２２の情報に基づいて一つ以上のアクセスポイント装置（ＡＰ）の情報を導出する（ステップＳＴ８０２）。
【００４３】
次に、フレ−ム振り分け部１２３は、ステップＳＴ８０２で導出したアクセスポイント装置（ＡＰ）に１つのＢＳＳＩＤを割り当て、ステップＳＴ８０１で導出したＶＬＡＮＩＤを対応付けて１つのエントリとして、ＢＳＳＩＤ−ＶＬＡＮ対応テ−ブル１２２３に追加する。フレ−ム振り分け部１２３は、ステップＳＴ８０１からステップＳＴ８０３までの動作を設定済みのＥＳＳＩＤの数分だけ繰り返す。
【００４４】
（２）通常運用時の動作
図９は、本発明の一実施の形態に係るアクセスポイント制御システム１００によるフレ−ム振り分け部の動作を説明するためのフロ−図である。
【００４５】
図９に示すように、ステップＳＴ９０１においてフレ−ム振り分け部１２３はフレ−ムを受信したかを判断する。ステップＳＴ９０１においてフレ−ムを受信した時に、フレ−ム振り分け部１２３は、受信したフレ−ムがＡＰ側送受信部１２４と網側送受信部１２１のどちらから来たかを判断する（ステップＳＴ９０２）。
【００４６】
ステップＳＴ９０２において受信したフレ−ムがＡＰ側送受信部１２４から来た時に、フレ−ム振り分け部１２３は、フレ−ムから８０２．１１フレ−ムを取り出してＢＳＳＩＤを導出する（ステップＳＴ９０３）。次に、フレ−ム振り分け部１２３は、導出したＢＳＳＩＤからＢＳＳＩＤ−ＶＬＡＮ対応テ−ブル１２２３を検索してＶＬＡＮタグを導出する（ステップＳＴ９０４）。
【００４７】
次に、フレ−ム振り分け部１２３は、８０２．１１フレ−ムをＥｔｈｅｒフレ−ムに変換する（ステップＳＴ９０５）。次に、フレ−ム振り分け部１２３は、ステップＳＴ９０５のフレ−ムにステップＳＴ９０４で導出したＶＬＡＮタグを挿入し、網側送受信部１２１に送出する（ステップＳＴ９０６）。
【００４８】
ステップＳＴ９０２において受信したフレ−ムが網側送受信部１２１から来た時に、フレ−ム振り分け部１２３は、宛先ＭＡＣアドレスをキ−に端末−ＢＳＳＩＤ対応テ−ブル１２２４を検索しＢＳＳＩＤを導出する（ステップＳＴ９０７）。
【００４９】
次に、フレ−ム振り分け部１２３は、ステップＳＴ９０７の情報（ＢＳＳＩＤ）からＥｔｈｅｒフレ−ムを８０２．１１フレ−ムに変換する（ステップＳＴ９０８）。次に、フレ−ム振り分け部１２３は、ステップＳＴ９０８の８０２．１１フレ−ムをＡＰ側送受信部１２４に送出する（ステップＳＴ９０９）。
【００５０】
図１０は、本発明の一実施の形態に係るアクセスポイント制御システム１００による網側送受信部の動作を説明するためのフロ−図である。
【００５１】
図１０に示すように、ステップＳＴ１００１において網側送受信部１２１はフレ−ムを受信したかを判断する。ステップＳＴ１００１においてフレ−ムを受信した時に、網側送受信部１２１は、フレ−ムをフレ−ム振り分け部１２３又は網（ＶＬＡＮネットワ−ク）側から受信かを判断する（ステップＳＴ１００２）。
【００５２】
ステップＳＴ１００２においてフレ−ムをフレ−ム振り分け部１２３から受信したときに、網側送受信部１２１は、宛先ＭＡＣアドレスがユニキャスト又はブロ−ドキャストであるかを判断する（ステップＳＴ１００３）。ステップＳＴ１００３において宛先ＭＡＣアドレスがユニキャストである時に、網側送受信部１２１は、宛先ＭＡＣアドレスが学習済みかを判断する（ステップＳＴ１００４）。
【００５３】
ステップＳＴ１００４において宛先ＭＡＣアドレスが学習済みである時に、フレ−ムを学習済みポ−トに送出する（ステップＳＴ１００５）。ステップＳＴ１００３において宛先ＭＡＣアドレスがブロ−ドキャストである時、又は、ステップＳＴ１００４において宛先ＭＡＣアドレスが学習済みでない時に、網側送受信部１２１は、そのフレ−ムのＶＬＡＮが割り当てられている全ての網側ポ−トにフレ−ムを送出する（ステップＳＴ１００６）。
【００５４】
ステップＳＴ１００２において網側から受信したときに、網側送受信部１２１は、受信したフレ−ムの送信元ＭＡＣアドレスと入力ポ−トを学習する（ステップＳＴ１００７）。次に、網側送受信部１２１は、フレ−ムをフレ−ム振り分け部１２３に送信する（ステップＳＴ１００８）。
【００５５】
図１１は、本発明の一実施の形態に係るアクセスポイント制御システム１００によるＡＰ側送受信部の動作を説明するためのフロ−図である。
【００５６】
図１１に示すように、ステップＳＴ１１０１においてＡＰ側送受信部１２４はフレ−ムを受信したかを判断する。ステップＳＴ１１０１においてフレ−ムを受信した時に、ＡＰ側送受信部１２４は、フレ−ムをＡＰ側又はフレ−ム振り分け部１２３から受信したかを判断する（ステップＳＴ１１０２）。
【００５７】
ステップＳＴ１１０２においてフレ−ムをフレ−ム振り分け部１２３から受信した時に、ＡＰ側送受信部１２４は、受信したフレ−ムをＥｔｈｅｒヘッダカプセリングする（ステップＳＴ１１０３）。次に、ＡＰ側送受信部１２４は、アクセスポイント装置（ＡＰ）にフレ−ムを送出する（ステップＳＴ１１０４）。
【００５８】
ステップＳＴ１１０２においてフレ−ムをＡＰ側から受信した時に、ＡＰ側送受信部１２４は、フレ−ムからＥｔｈｅｒヘッダとＡＰコントロ−ルヘッダを外して、８０２．１１フレ−ムを取り出す（ステップＳＴ１１０５）。次に、ＡＰ側送受信部１２４は、フレ−ムをフレ−ム振り分け部１２３に送信する（ステップＳＴ１１０６）。
【００５９】
以上の動作によって、複数のアクセスポイント装置（ＡＰ）にそれぞれ複数のＥＳＳＩＤを割り当てたＶＬＡＶＮネットワ−クにおいて、ＥＳＳＩＤ別にＶＬＡＮネットワ−クを振り分けることができる。どのＥＳＳＩＤがどのアクセスポイント装置（ＡＰ）に設定されているかは、ＥＳＳＩＤ−ＡＰ対応テ−ブル１２２２により自由に設定でき、かつ、ある特定のＥＳＳＩＤに属するＶＬＡＮネットワ−クは特定のアクセスポイント装置（ＡＰ）にしか設定しないというような運用方法も可能である。
【００６０】
次に、本発明の一実施の形態に係るアクセスポイント制御システム１００のネットワ−ク切替時の動作について、より具体的に説明する。
【００６１】
アクセスポイント制御装置１２０の上位のＶＬＡＮネットワ−クがＥＳＳＩＤと割り当てるＶＬＡＮを切り替えるときの動作を説明する。
【００６２】
図１２は、本発明の一実施の形態に係るアクセスポイント制御システム１００のネットワ−ク切替時の動作を説明するための図である。
【００６３】
図１２に示すように、ＶＬＡＮ＃１に対応するＥＳＳＩＤ:ＡＡＡのネットワ−クが、障害等の原因により使用不可能になった時に、代替としてＶＬＡＮネットワーク１３０−３に切り替えるとする。
【００６４】
その時に、ＶＬＡＮネットワーク１３０−３に対応するＶＬＡＮタグを＃９とした場合の切替動作を説明する。切替のタイミングでＥＳＳＩＤ−ＶＬＡＮ対応テ−ブルのＥＳＳＩＤ:ＡＡＡに対応するＶＬＡＮを＃９に変更する。変更するのは、管理者でもよいし、また、障害を検知して自動的に対応するＶＬＡＮを書き換えても良い。図１３は、本発明の一実施の形態に係るアクセスポイント制御システム１００における変更後のＥＳＳＩＤ−ＶＬＡＮ対応テ−ブル１２２１の１例を示す図である。
【００６５】
ＥＳＳＩＤ−ＶＬＡＮ対応テ−ブル１２２１の変更後、ＢＳＳＩＤ−ＶＬＡＮ対応テ−ブル１２２３の変更を行う（図１４参照）。この変更は、フレ−ム振り分け部１２３で行う。
【００６６】
図１４は、本発明の一実施の形態に係るアクセスポイント制御システム１００のネットワ−ク切替時のＢＳＳＩＤ−ＶＬＡＮ対応テ−ブル１２２３の変更を説明するためのフロー図である。
【００６７】
図１４に示すように、フレ−ム振り分け部１２３は、まず変更した１つのＥＳＳＩＤに着目し、そのＥＳＳＩＤをキ−にＥＳＳＩＤ−ＶＬＡＮ対応テ−ブル１２２１からＶＬＡＮＩＤを導出する（ステップＳＴ１４０１）。
【００６８】
次に、フレ−ム振り分け部１２３は、ＥＳＳＩＤ−ＡＰ対応テーブル１２２２よりそのＥＳＳＩＤが設定される１以上のＡＰを導出する（ステップＳＴ１４０２）。次に、フレ−ム振り分け部１２３は、ステップＳＴ１４０２において導出したＡＰに１つのＢＳＳＩＤを割り当て、ステップＳＴ１４０１において導出したＶＬＡＮＩＤを対応付けて１つのエントリとして、ＢＳＳＩＤ−ＶＬＡＮ対応テ−ブル１２２３に上書きする（ステップＳＴ１４０３）。フレ−ム振り分け部１２３は、以上の動作を変更したＥＳＳＩＤの数分繰り返す。
【００６９】
図１５は、本発明の一実施の形態に係るアクセスポイント制御システム１００における変更後のＢＳＳＩＤ−ＶＬＡＮ対応テ−ブル１２２３の１例を示す図である。
【００７０】
図１５に示すように、対応するＶＬＡＮＩＤ（ＶＬＡＮタグ）が＃１から＃９に変更される。これにより、図９、図１０及び図１１の動作が実行されることにより上位側のＶＬＡＮネットワ−クに対する切替を行うことができる。
【産業上の利用可能性】
【００７１】
本発明は、アクセスポイント装置のＢＳＳＩＤとＶＬＡＮの対応の変更を容易に実行することができ、かつ、接続先を変更する時に接続先を変更の数が多い場合にも同期的に設定変更を行うことができる効果を有し、アクセスポイント制御システム及びアクセスポイント制御方法に有用である。
【図面の簡単な説明】
【００７２】
【図１】本発明の一実施の形態に係るアクセスポイント制御システムの構成を示す図
【図２】本発明の一実施の形態に係るアクセスポイント制御システムにおいて用いられるプロトコルスタックの例を示す図
【図３】本発明の一実施の形態に係るアクセスポイント制御システムのアクセスポイント制御装置の構成を詳細に示すブロック図
【図４】本発明の一実施の形態に係るアクセスポイント制御システムのアクセスポイント制御装置におけるフレーム振り分けデータベースのＥＳＳＩＤ−ＶＬＡＮ対応テ−ブルを示す図
【図５】本発明の一実施の形態に係るアクセスポイント制御システムのアクセスポイント制御装置におけるフレーム振り分けデータベースのＥＳＳＩＤ−ＡＰ対応テ−ブルを示す図
【図６】本発明の一実施の形態に係るアクセスポイント制御システムのアクセスポイント制御装置におけるフレーム振り分けデータベースのＢＳＳＩＤ−ＶＬＡＮ対応テ−ブルを示す図
【図７】本発明の一実施の形態に係るアクセスポイント制御システムのアクセスポイント制御装置におけるフレーム振り分けデータベースの端末−ＢＳＳＩＤ対応テ−ブルを示す図
【図８】本発明の一実施の形態に係るアクセスポイント制御システムによるＢＳＳＩＤ−ＶＬＡＮ対応テ−ブルの作成を説明するためのフロ−図
【図９】本発明の一実施の形態に係るアクセスポイント制御システムによるフレ−ム振り分け部の動作を説明するためのフロ−図
【図１０】本発明の一実施の形態に係るアクセスポイント制御システムによる網側送受信部の動作を説明するためのフロ−図
【図１１】本発明の一実施の形態に係るアクセスポイント制御システムによるＡＰ側送受信部の動作を説明するためのフロ−図
【図１２】本発明の一実施の形態に係るアクセスポイント制御システムのネットワ−ク切替時の動作を説明するための図
【図１３】本発明の一実施の形態に係るアクセスポイント制御システムにおける変更後のＥＳＳＩＤ−ＶＬＡＮ対応テ−ブルの１例を示す図
【図１４】本発明の一実施の形態に係るアクセスポイント制御システムのネットワ−ク切替時のＢＳＳＩＤ−ＶＬＡＮ対応テ−ブルの変更を説明するためのフロー図
【図１５】本発明の一実施の形態に係るアクセスポイント制御システムにおける変更後のＢＳＳＩＤ−ＶＬＡＮ対応テ−ブルの１例を示す図
【図１６】従来のアクセスポイント制御システムの構成を示す図
【図１７】従来のアクセスポイント制御システムにおいて用いられるプロトコルスタックの例を示す図
【図１８】従来のアクセスポイント制御システムのネットワ−ク切替時の動作を説明するための図
【符号の説明】
【００７３】
１００  アクセスポイント制御システム
１１０−１、１１０−２  アクセスポイント装置
１２０  アクセスポイント制御装置
１３０−１、１３０−２  ＶＬＡＮネットワ−ク
１４０−１〜１４０−４  通信端末装置
１２１  網側送受信部
１２２  フレ−ム振り分けデータベース
１２３  フレ−ム振り分け部
１２４  ＡＰ側送受信部
１２２１  ＥＳＳＩＤ−ＶＬＡＮ対応テ−ブル
１２２２  ＥＳＳＩＤ−ＡＰ対応テ−ブル
１２２３  ＢＳＳＩＤ−ＶＬＡＮ対応テ−ブル
１２２４  端末−ＢＳＳＩＤ対応テ−ブル
【図１】
2006033431.tif 000003
【図２】
2006033431.tif 000004
【図３】
2006033431.tif 000005
【図４】
2006033431.tif 000006
【図５】
2006033431.tif 000007
【図６】
2006033431.tif 000008
【図７】
2006033431.tif 000009
【図８】
2006033431.tif 000010
【図９】
2006033431.tif 000011
【図１０】
2006033431.tif 000012
【図１１】
2006033431.tif 000013
【図１２】
2006033431.tif 000014
【図１３】
2006033431.tif 000015
【図１４】
2006033431.tif 000016
【図１５】
2006033431.tif 000017
【図１６】
2006033431.tif 000018
【図１７】
2006033431.tif 000019
【図１８】
2006033431.tif 000020